(57)【特許請求の範囲】
【請求項１】
入力映像信号の輝度信号をサンプリングする期間を示すウィンドウパルス信号を発生するウィンドウパルス発生手段と、
前記ウィンドウパルス信号が示す期間内の前記輝度信号の輝度値の総和を求める輝度値加算手段と、
前記ウィンドウパルス信号が示す期間内の画素数を求める画素数加算手段と、
前記画素数加算手段の出力信号から有効ビットを検出し、その有効ビットに基いて、前記画素数加算手段の出力信号と前記輝度値加算手段の出力信号とをそれぞれビットシフトするビットシフト手段と、
前記ビットシフトした前記輝度値加算手段の出力信号を前記ビットシフトした前記画素数加算手段の出力信号で除算して、前記サンプリングする期間における平均輝度レベルを求める除算手段と、を備えることを特徴とする輝度信号処理装置。
【請求項２】
請求項１記載の輝度信号処理装置において、
前記ビットシフト手段は、
前記画素数加算手段の出力信号を、その最上位ビットから順にシフトして有効ビットを検出する有効ビット検出手段と、
前記有効ビット検出手段の出力信号に基いて前記画素数加算手段の出力信号から所定のビット数を取り出す画素数ビットシフト手段と、
前記有効ビット検出手段の出力信号に基いて前記輝度値加算手段の出力信号から所定のビット数を取り出す輝度値ビットシフト手段と、を備えることを特徴とする輝度信号処理装置。
【請求項３】
請求項１記載の輝度信号処理装置において、
前記ウィンドウパルス発生手段は、
入力映像信号の水平同期信号および垂直同期信号の立ち上がりまたは立ち下がりエッジを検出して微分し、水平微分信号および垂直微分信号を出力する微分手段と、
前記垂直微分信号でリセットをかけ、前記水平微分信号でロードした値をカウントすることで、ライン数をカウントする第１のカウンタと、前記水平微分信号でリセットをかけ、前記第１のカウンタの出力をロードした値から取り出した下位ｎビットの値を初期値として、基準クロックをカウントするｎビットの第２のカウンタとを有し、ラインごとに値が１つずつ、ずれてカウントされる値を、サンプリングする輝度信号の値を間引く際の間引き基準値として出力する間引き基準値設定手段と、
垂直期間始点信号、垂直期間終点信号、水平期間始点信号および水平期間終点信号を入力とし、前記垂直微分信号でリセットをかけ、前記水平微分信号でロードした値をカウントすることで得られる垂直期間のうち、前記垂直期間始点信号および前記垂直期間終点信号が示す期間を第１の有効期間として求め、前記水平微分信号でリセットをかけ、基準クロックをカウントすることで得られる水平期間のうち、前記水平期間始点信号および前記水平期間終点信号が示す期間を第２の有効期間として求め、前記間引き基準値とある所定値とが一致するときに間引きパルスを生成し、前記第１の有効期間と、前記第２の有効期間と、前記間引きパルスとの共通期間を示すウィンドウパルス信号を発生するサンプリング手段と、を備えることを特徴とする輝度信号処理装置。
【発明の詳細な説明】
【０００１】
技術分野
本発明は、映像信号の輝度信号の平均輝度レベルの検出を行なう技術に関する。
【０００２】
背景技術
従来の映像信号の平均輝度レベルを検出する装置としては、特開平８−２０２３１９号公報に開示されている映像信号レベル検出装置が知られている。
図８は、上記従来の映像信号レベル検出装置のブロック図である。
【０００３】
上記映像信号レベル検出装置は、映像信号から分離した輝度信号データを入力する入力端子１００１と、入力輝度信号データに対してｎ個毎の画素データの平均値を算出する平均値算出部１００２と、平均値算出部１００２で算出されたデータを１画面毎に積算するデータ積算部１００３と、積算部１００３により積算されたデータを１画面の表示画素数をｎで割った定数で除算して平均輝度レベルを検出する除算部１００４と、平均輝度レベルを出力するデコーダ１００５とを備えている。
【０００４】
平均値算出部１００２は、輝度信号データをラッチする第１のフリップフロップ回路と、輝度信号の画素データを加算する加算器と、加算データラッチ用の第２のフリップフロップ回路と、加算器からの出力データの最上位ビット（Most Significant Bit，以下ＭＳＢと略す）から所定のビット数を取り出してデータ積算部１００３に出力する第３のフリップフロップ回路と、を備えている。
【０００５】
平均値算出部１００２は、輝度信号データが入力されると、加算器と第２のフリップフロップ回路とで輝度信号の画素データをｎ個毎に加算し、加算器からの出力データのＭＳＢから所定数のビットを取り出して第３のフリップフロップ回路でラッチして輝度信号の画素データのｎ個毎に平均輝度レベルを算出する。積算部１００３は、平均値算出部１００２で算出されたデータを１画面毎に積算する。除算部１００４は、データ積算部１００３で積算されたデータを１画面の表示画素数をｎで割った定数で除算して映像信号の平均輝度レベルを検出する。
【０００６】
以上のように構成される映像信号レベル検出装置によれば、輝度信号の画素データのｎ個毎に平均輝度レベルが算出でき、この平均輝度レベルに基づいて表示画面全体の平均輝度レベルを算出するようにしているため、全ての画素データから平均輝度レベルの検出を小規模な回路で行うことができる。
【０００７】
映像信号の平均輝度レベルは画質補正を行う際の補正効果制御値として用いられることが多い。また放送技術の進歩により、例えば４８０ｉ、４８０ｐ、７２０ｐ、１０８０ｉ等があげられるように映像信号方式の多様化が進んでおり、各映像信号方式に対応しながら、映像信号の平均輝度レベルを、回路規模を大きくすることなく、高精度に検出することが求められている。
【０００８】
しかしながら、上記従来の映像信号レベル検出装置のように、輝度信号の画素データをｎ個毎に加算し、加算結果の信号のＭＳＢから所定数のビットを取り出して、輝度信号の画素データのｎ個毎に平均輝度レベルを算出し、この平均輝度レベルに基づいて表示画面全体の平均輝度レベルを検出するようにすると、映像信号の有効画素数は映像信号方式によって異なることから、映像信号方式によっては、有効画素数が少ない映像信号方式ほど、データが下位に集中し上位ビットがあまることで、有効値である下位ビットが切り捨てられ、丸め誤差が大きくなり、その結果、平均輝度レベルの精度が低くなるという課題があった。
【０００９】
また、上記公報に開示されている装置の他にも、回路規模を小さくするために、輝度信号の間引きを行って平均輝度レベルを検出する方式のものが一般に知られている。しかしながら、その方式では、間引く位置を各走査線で同じ位置、例えば走査線の画素を１／８ごとに間引くといったようにしていたため、固定パターンや繰り返しパターンの絵柄が現れるような表示画面のときには正確な平均輝度レベルの検出ができないという課題があった。
【００１０】
よって、本発明は、上記課題を解決するためになされたものであり、様々な映像信号方式に対応した平均輝度レベルの検出を小規模な回路で精度良く行うことができる輝度信号検出装置を提供する。
【００１１】
発明の開示
本発明の請求項１に記載の輝度信号処理装置は、入力映像信号の輝度信号をサンプリングする期間を示すウィンドウパルス信号を発生するウィンドウパルス発生手段と、前記ウィンドウパルス信号が示す期間内の前記輝度信号の輝度値の総和を求める輝度値加算手段と、前記ウィンドウパルス信号が示す期間内の画素数を求める画素数加算手段と、前記画素数加算手段の出力信号から有効ビットを検出し、その有効ビットに基いて、前記画素数加算手段の出力信号と前記輝度値加算手段の出力信号とをそれぞれビットシフトするビットシフト手段と、前記ビットシフトした前記輝度値加算手段の出力信号を前記ビットシフトした前記画素数加算手段の出力信号で除算して、前記サンプリングする期間における平均輝度レベルを求める除算手段と、を備えるものである。
本発明によれば、有効画素数の異なる複数の映像信号方式に対応した平均輝度レベルを、小規模な回路で、丸め誤差を最小限にとどめて、精度良く検出することができる。
【００１２】
また、本発明の請求項２記載の輝度信号処理装置は、請求項１記載の輝度信号処理装置において、前記ビットシフト手段は、前記画素数加算手段の出力信号を、その最上位ビットから順にシフトして有効ビットを検出する有効ビット検出手段と、前記有効ビット検出手段の出力信号に基いて前記画素数加算手段の出力信号から所定のビット数を取り出す画素数ビットシフト手段と、前記有効ビット検出手段の出力信号に基いて前記輝度値加算手段の出力信号から所定のビット数を取り出す輝度値ビットシフト手段と、を備えるものである。
本発明によれば、有効画素数の異なる複数の映像信号方式に対応した平均輝度レベルを、小規模な回路で、丸め誤差を最小限にとどめて、精度良く検出することができる。
【００１３】
本発明の請求項３記載の輝度信号処理装置は、請求項１記載の輝度信号処理装置において、前記ウィンドウパルス発生手段は、入力映像信号の水平同期信号および垂直同期信号の立ち上がりまたは立ち下がりエッジを検出して微分し、水平微分信号および垂直微分信号を出力する微分手段と、前記垂直微分信号でリセットをかけ、前記水平微分信号でロードした値をカウントすることで、ライン数をカウントする第１のカウンタと、前記水平微分信号でリセットをかけ、前記第１のカウンタの出力をロードした値から取り出した下位ｎビットの値を初期値として、基準クロックをカウントするｎビットの第２のカウンタとを有し、ラインごとに値が１つずつ、ずれてカウントされる値を、サンプリングする輝度信号の値を間引く際の間引き基準値として出力する間引き基準値設定手段と、垂直期間始点信号、垂直期間終点信号、水平期間始点信号および水平期間終点信号を入力とし、前記垂直微分信号でリセットをかけ、前記水平微分信号でロードした値をカウントすることで得られる垂直期間のうち、前記垂直期間始点信号および前記垂直期間終点信号が示す期間を第１の有効期間として求め、前記水平微分信号でリセットをかけ、基準クロックをカウントすることで得られる水平期間のうち、前記水平期間始点信号および前記水平期間終点信号が示す期間を第２の有効期間として求め、前記間引き基準値とある所定値とが一致するときに間引きパルスを生成し、前記第１の有効期間と、前記第２の有効期間と、前記間引きパルスとの共通期間を示すウィンドウパルス信号を発生するサンプリング手段と、を備えるものである。
本発明によれば、平均輝度レベルを求める際に、加算する輝度値および画素数の総和を減らすことができ、回路規模を縮小することが可能となる。
【００１４】
発明を実施するための最良の形態
実施の形態１．
図１は本発明の実施の形態１に係る輝度信号処理装置のブロック図である。
輝度信号処理装置１００は、処理の対象となる入力映像信号から取り出した、輝度信号Ｓ１０１と水平同期信号Ｓ１０２と垂直同期信号Ｓ１０３とともに、外部から任意に設定する信号である、水平期間始点信号Ｓ１０４と水平期間終点信号Ｓ１０５と垂直期間始点信号Ｓ１０６と垂直期間終点信号Ｓ１０７とを入力して、平均輝度レベルＳ１０８を検出する。なお、輝度信号処理装置１００の全ての回路は基準クロックに基いて動作を行っている。
【００１５】
水平期間始点信号Ｓ１０４、水平期間終点信号Ｓ１０５はそれぞれ輝度信号をサンプリングする際の水平側に対する始点値と終点値を示す信号であり、また垂直期間始点信号Ｓ１０６、垂直期間終点信号Ｓ１０７はそれぞれ輝度信号をサンプリングする際の垂直側に対する始点値と終点値を示す信号である。
【００１６】
ウィンドウパルス発生部１０１は、水平同期信号Ｓ１０２、垂直同期信号Ｓ１０３、水平期間始点信号Ｓ１０４、水平期間終点信号Ｓ１０５、垂直期間始点信号Ｓ１０６および垂直期間終点信号Ｓ１０７を入力して、輝度信号をサンプリングする期間を示すウィンドウパルス信号Ｓ１１０を発生する。
【００１７】
輝度値加算部１０２は、ウィンドウパルス信号Ｓ１１０と処理の対象となる輝度信号Ｓ１０１とを入力して、ウィンドウパルス信号Ｓ１１０が示す期間内の輝度値を加算して総和を求め、輝度値総和信号Ｓ１１１を出力する。
【００１８】
画素数加算部１０３は、ウィンドウパルス信号Ｓ１１０を入力して、ウィンドウパルス信号Ｓ１１０が示す期間内の画素数を加算して総和を求め、画素数総和信号Ｓ１１２を出力する。
【００１９】
ビットシフト部１０４は、画素数総和信号Ｓ１１２のＭＳＢから順にシフトして最初に「１」の立つビットを見つけ出し、ＭＳＢから何ビット目が有効であるかを示す有効ビットを検出する。そして、その有効ビットに基いて、輝度値総和信号Ｓ１１１から必要とするビット数だけを取り出したシフト総輝度和信号Ｓ１１３を出力するとともに、上記有効ビットに基いて、画素数総和信号Ｓ１１２から必要とするビット数だけを取り出したシフト総画素和信号Ｓ１１４とを出力する。
【００２０】
除算部１０５は、シフト総輝度和信号Ｓ１１３とシフト総画素和信号Ｓ１１４とを入力し、シフト総輝度和信号Ｓ１１３をシフト総画素和信号Ｓ１１４で除算することによって、平均輝度レベルＳ１０８を出力する。
【００２１】
図２に、ウィンドウパルス発生部１０１の詳細なブロック図を示し、以下に説明する。
微分演算部２０１は、映像信号から取り出した水平同期信号Ｓ１０２と垂直同期信号Ｓ１０３を入力とし、水平同期信号Ｓ１０２の立ち上がりまたは立ち下がりエッジを検出し、微分した信号である水平微分信号Ｓ２１０を出力する。また、垂直同期信号Ｓ１０３の立ち上がりまたは立ち下がりエッジを検出し、微分した信号である垂直微分信号Ｓ２１１を出力する。
【００２２】
サンプリング部２０２は、水平期間始点信号Ｓ１０４、水平期間終点信号Ｓ１０５、垂直期間始点信号Ｓ１０６、垂直期間終点信号Ｓ１０７、水平微分信号Ｓ２１０、および垂直微分信号Ｓ２１１を入力して、輝度信号をサンプリングするための期間を示すウィンドウパルス信号Ｓ１１０を設定する。サンプリング部２０２では、水平微分信号Ｓ２１０でリセットかけ、基準となるクロックをカウントすることで、水平期間を数える。そして、その水平期間のうち水平期間始点信号Ｓ１０４および水平期間終点信号Ｓ１０５が示す有効期間を水平ウィンドウとする。また、垂直微分信号Ｓ２１１でリセットかけ、水平微分信号Ｓ２１０でロードした値をカウントすることで、垂直期間を数える。そして、その垂直期間のうちの垂直期間始点信号Ｓ１０６および垂直期間終点信号Ｓ１０７が示す有効期間を垂直ウィンドウとする。
【００２３】
そして、上記水平ウィンドウ信号と上記垂直ウィンドウ信号との共通期間を示す信号がウィンドウパルス信号Ｓ１１０になる。すなわち、この共通期間が輝度信号をサンプリングする期間になる。
【００２４】
図３に、ビットシフト部１０４の詳細なブロック図を示し、以下に説明する。  有効ビット検出部３０１は、画素数総和信号Ｓ１１２を入力とし、画素数総和信号Ｓ１１２のＭＳＢから下位ビットへ順にシフトし、最初に「１」の立つビット、すなわち有効ビットを検出し、その有効ビットがＭＳＢから何ビット目に位置するかを示す有効ビット信号Ｓ３１０を出力とする。
【００２５】
輝度値ビットシフト部３０２は、輝度値総和信号Ｓ１１１と有効ビット信号Ｓ３１０を入力とし、有効ビット信号Ｓ３１０に基いて輝度値総和信号Ｓ１１１から必要とするビット数を取り出したシフト総輝度和信号Ｓ１１３を出力する。
【００２６】
画素数ビットシフト部３０３は、画素数総和信号Ｓ１１２と有効ビット信号Ｓ３１０を入力とし、有効ビット信号Ｓ３１０に基づいて画素数総和信号Ｓ１１２から必要とするビット数を取り出したシフト総画素和信号Ｓ１１４を出力する。
【００２７】
図４にビットシフト部１０４の具体的な動作例を示し、以下に説明する。
なお、ここでは、輝度値総和信号Ｓ１１１を１０ビットのデータとし、１６進数で１Ａ６とする。また画素数総和信号Ｓ１１２を１０ビットのデータとし、１６進数で９Ｃとする。
【００２８】
まず、有効ビット検出部３０１は、画素数総和信号Ｓ１１２を入力し、画素数総和信号Ｓ１１２のＭＳＢから下位ビットへ順にシフトする。図４において、まず、ＭＳＢは「０」なので、次の上位から２ビット目へとシフトする。次に上位２ビット目が「１」であることから、有効ビット検出部３０１は、有効なデータが上位２ビット目（黒枠で囲んだビット）から始まることを示す有効ビット信号Ｓ３１０を出力する。
【００２９】
次に、輝度値ビットシフト部３０２は、輝度値総和信号Ｓ１１１と有効ビット信号Ｓ３１０を入力とする。入力された有効ビット信号Ｓ３１０により有効なデータは上位２ビット目から始まることが示されていることから、輝度値ビットシフト部３０２は、例えば、平均輝度レベルの検出に必要なビット数が８ビットである場合、輝度値総和信号Ｓ１１１の上位２ビット目から８ビット分の有効データ部１０を取り出す。そして、取り出した有効データ部１０は１６進数で４Ｅとなり、これがシフト総輝度和信号Ｓ１１３となる。
【００３０】
画素数ビットシフト部３０３では画素数総和信号Ｓ１１２と有効ビット信号Ｓ３１０を入力とし、平均輝度レベルの検出に必要なビット数が８ビットである場合、画素数総和信号Ｓ１１２の上位２ビット目から８ビット分の有効データ部２０を取り出す。そして取り出した有効データ部２０は１６進数でＤ３となり、これがシフト総画素和信号Ｓ１１４となる。
【００３１】
以上のように本実施の形態１に係る輝度信号処理装置によれば、輝度値総和信号Ｓ１１１と画素数総和信号Ｓ１１２をビットシフトさせて、最適な有効ビットをもつデータとなるシフト総輝度和信号Ｓ１１３とシフト総画素和信号Ｓ１１４とから平均輝度レベルを検出することから、７２０ｐ、１０８０ｉ、５２５ｉ、５２５ｐなど、有効画素数の異なる複数の映像信号方式に対応した平均輝度レベルを、小規模な回路で、丸め誤差を最小限にとどめて、精度良く検出することができる。
【００３２】
なお、本実施の形態１では、輝度値総和信号Ｓ１１１を１０ビットのデータとし、また１６進数で１Ａ６としたが、何ビットでも何進数のデータに対しても同様に実施可能である。また画素数総和信号Ｓ１１２を１０ビットのデータとし、１６進数で９Ｃとしたが、何ビットでも何進数のデータに対しても同様に実施可能である。
【００３３】
また、本実施の形態１では、輝度値ビットシフト部３０２と画素数ビットシフト部３０３では必要とするビット数を８ビットとしたが、ビット数は８ビットに限るものでなく、何ビットでも同様に実施可能である。
【００３４】
また、本実施の形態１では、輝度信号Ｓ１０１を輝度値加算部１０２に入力していたが、輝度信号Ｓ１０１をローパスフィルタに通過をさせた後、輝度値加算部１０２に入力することも可能であり、この場合、輝度信号Ｓ１０１がローパスフィルタを通過することでノイズが除去され、さらに高精度の平均輝度レベルが検出できることになる。
【００３５】
実施の形態２．
本発明の実施の形態２に係る輝度信号処理装置について、以下に説明する。本実施の形態２が、実施の形態１と異なる点は、ウィンドウパルス発生部１０１の構成のみである。よって、以下、図５を用いてウィンドウパルス発生部１０１の説明を行う。
図５は、本実施の形態２に係るウィンドウパルス発生部１０１のブロック図である。
【００３６】
ウインドウパルス発生部１０１は映像信号から取り出した水平同期信号Ｓ１０２と垂直同期信号Ｓ１０３と水平期間始点信号Ｓ１０４と水平期間終点信号Ｓ１０５と垂直期間始点信号Ｓ１０６と垂直期間終点信号Ｓ１０７を入力として、ウィンドウパルス信号Ｓ４１０を出力するものである。
【００３７】
微分演算部２０１は、映像信号から取り出した水平同期信号Ｓ１０２と垂直同期信号Ｓ１０３を入力とし、水平同期信号Ｓ１０２の立ち上がりまたは立ち下がりエッジを検出し、微分した信号である水平微分信号Ｓ２１０を出力する。また、垂直同期信号Ｓ１０３の立ち上がりまたは立ち下がりエッジを検出し、微分した信号である垂直微分信号Ｓ２１１を出力する。
【００３８】
間引き基準値設定部４０１は、水平微分信号Ｓ２１０と垂直微分信号Ｓ２１１とを入力とし、間引き基準値Ｓ４１１を出力する。以下、図６を用いて間引き基準値設定部４０１について説明する。
【００３９】
間引き基準値設定部４０１は、まず、カウンタ５０１により、垂直微分信号Ｓ２１１でリセットをかけ、ロードホールド手段５０３で、水平微分信号Ｓ２１０によってロードを行い、その値をカウンタ５０１の入力としてカウントすることで、ライン数を数えることができる。次に、ロードホールド手段５０３の出力であるライン数から間引きたいビット数、ｎビットを下位ビットから取り出す。なお、ここで、下位ビットは、ロードホールド手段５０３の出力から取り出すため、ライン数が変わるたびに、取り出すビットｎビット分、例えばｎ＝２ビットだとすると、０，１，２，３，０，１，２，３，０・・・と取り出せる値が変化する。次に、取り出した下位ビットをカウンタ５０２の初期値として、水平微分信号Ｓ２１０でリセットかけ、基準となるクロックをカウンタ５０２でカウントする。この場合、カウンタ５０２はロードホールド手段５０３の出力の下位ｎビットを初期値として基準クロックをカウントするので、ラインごとにカウントを開始する値が異なる。そして、カウンタ５０２の出力が間引き基準値Ｓ４１１となる。なお、ここでは、間引きたいビット数、ｎビットのカウンタをカウンタ５０２として備えることとする。
【００４０】
また、間引きたいビット数ｎビットのカウンタをカウンタ５０１として備えても同様に実施可能である。
例えば、カウンタ５０１から取り出す下位ビットが２ビットで、１ライン目の値が２進数の００である場合の間引き基準値Ｓ４１１を図７(a)に示す。図７(a)は、間引き基準値Ｓ４１１を表示画面に対応させた時の図である。１つの四角が表示画面の１画素に対応し、縦の方向はラインに対応している。図７(a)において、間引き基準値Ｓ４１１は２ライン目の値が２進数の０１、３ライン目の値が２進数の１０、４ライン目の値が２進数の１１、５ライン目の値が２進数の００であり、ライン毎にカウントを開始する値が異なっている。
【００４１】
サンプリング部４０２は、水平期間始点信号Ｓ１０４と、水平期間終点信号Ｓ１０５と、垂直期間始点信号Ｓ１０６と、垂直期間終点信号Ｓ１０７と、水平微分信号Ｓ２１０と、垂直微分信号Ｓ２１１と、間引き基準値Ｓ４１１とを入力して、輝度信号をサンプリングするための期間を示すウィンドウパルス信号Ｓ４１０を発生させる。
【００４２】
サンプリング部４０２では、水平微分信号Ｓ２１０でリセットかけ、基準となるクロックをカウントすることで、水平期間を数える。そして、その水平期間のうち水平期間始点信号Ｓ１０４および水平期間終点信号Ｓ１０５が示す有効期間を水平ウィンドウとする。また、垂直微分信号Ｓ２１１でリセットかけ、水平微分信号Ｓ２１０でロードした値をカウントすることで、垂直期間を数える。そして、その垂直期間のうちの垂直期間始点信号Ｓ１０６および垂直期間終点信号Ｓ１０７が示す有効期間を垂直ウィンドウとする。
【００４３】
さらに、本実施の形態２では、輝度信号をサンプリングする値を間引くために、サンプリング部４０２で間引き基準値Ｓ４１１に基いて間引きパルスを発生させる。なお、この場合、間引き基準値Ｓ４１１とある所定値が一致した時にパルスを発生させるようにし、その発生させたパルスを間引きパルスとする。ここである所定値とは、カウンタ５０１の出力から取り出した下位ビット幅の値、つまり間引きたいビット数がもちうる値のうちの１つである。例えばカウンタ５０１の出力から取り出した下位ビットが２ビットであれば、０から３までが間引きたいビット数がもちうる値で、そのうちの１つの値と間引き基準値Ｓ４１１が一致する時にパルスを発生させるので、間引きたいビットごとに間引きパルスを発生させることができる。
【００４４】
以上のように発生させた間引きパルスと、上記水平ウィンドウと、上記垂直ウィンドウの共通期間を示す信号をウィンドウパルス信号Ｓ４１０とする。すなわち、この共通期間が輝度信号をサンプリングする期間になる。
以下、ウィンドウパルス信号Ｓ４１０を発生させる具体例を図７(a)〜図７(c)を用いて説明する。
【００４５】
図７(a)は、上述のように間引き基準値Ｓ４１１を表示画面に対応させた時の図である。ここで、例えば間引き基準値Ｓ４１１が２進数０１の時に間引きパルスを発生させるとすると、その間引きパルスと、上記水平ウィンドウと、上記垂直ウィンドウとの共通期間を示すウィンドパルス信号Ｓ４１０は、図７(b)に示すようになる。図７(c)は、図７(b)に示すウィンドウパルス信号Ｓ４１０を表示画面に対応させた時の図である。この場合、斜線部分に対応する画素が、ウィンドウパルス信号Ｓ４１０が示す輝度信号をサンプリングする期間の画素である。  本実施の形態２では、以上のようにして求めたウィンドウパルス信号Ｓ４１０が示す期間の輝度信号の輝度値を加算して、平均輝度レベルを検出する。
【００４６】
以上のように、本実施の形態２によれば、ウィンドウパルス発生部１０１で、間引き基準値設定部４０１から出力される間引き基準値Ｓ４１１に基いて間引きパルスを発生させるとともに、水平微分信号Ｓ２１０、水平期間始点信号Ｓ１０４、および水平期間終点信号Ｓ１０５とから求めた水平ウィンドウと、水平微分信号Ｓ２１０、垂直微分信号Ｓ２１１、垂直期間始点信号Ｓ１０６、および垂直期間終点信号Ｓ１０７とから求めた垂直ウィンドウと、間引きパルスとの共通期間を示すウインドウパルス信号Ｓ４１０を発生させ、そのウィンドウパルス信号Ｓ４１０が示す期間内の輝度値を、輝度値加算部１０２で加算し、かつウィンドウパルス信号Ｓ４１０が示す期間内の画素数を、画素数加算部１０３で加算するようにしたことから、平均輝度レベルを検出する際に、加算する輝度値および画素数の総和を減らすことができ、回路規模を縮小することが可能となる。
【００４７】
なお、本実施の形態２では、間引き基準値が２ビットの場合について説明したが、ビット数は２ビットに限られるものではなく、間引きたいビット数であれば何ビットでも良い。
【００４８】
産業上の利用可能性
以上のように、本発明に係る輝度信号処理装置は、７２０ｐ、１０８０ｉ、５２５ｉ、５２５ｐなど、有効画素数の異なる様々な映像信号方式に対応した映像信号の平均輝度レベルを検出するのに適している。
【図面の簡単な説明】
【図１】本発明の実施の形態１に係る輝度信号処理装置のブロック図である。
【図２】本発明の実施の形態１に係るウインドウパルス発生部の詳細なブロック図である。
【図３】本発明の実施の形態１に係るビットシフト部の詳細なブロック図である。
【図４】本発明の実施の形態１に係るビットシフト部の動作を説明する図である。
【図５】本発明の実施の形態２に係るウインドウパルス発生部の詳細なブロック図である。
【図６】本発明の実施の形態２に係る間引き基準値設定部の詳細なブロック図である。
【図７】(a)は、本発明の実施の形態２に係る間引き基準値を表示画面に対応させた時の模式図、(b)は、本発明の実施の形態２に係るウィンドウパルス信号の模式図、(c)は、本発明の実施の形態２に係るウィンドウパルス信号を表示画面に対応させた時の模式図である。
【図８】従来の映像信号レベル検出装置のブロック図である。
【図１】
0003712976.tif 000002
【図２】
0003712976.tif 000003
【図３】
0003712976.tif 000004
【図４】
0003712976.tif 000005
【図５】
0003712976.tif 000006
【図６】
0003712976.tif 000007
【図７】
0003712976.tif 000008
【図８】
0003712976.tif 000009